(57)【要約】【課題】サーモオフ動作後サーモオン動作が行われるまでの間において室内に居る人が不快に感じることを抑制できる空気調和機を提供する。【解決手段】空気調和機は、室内熱交換器と、圧縮機と、制御部とを備える。室内熱交換器は、冷媒と室内空気との間で熱交換を行わせ、室内空気の熱を奪う。制御部は、室内空気の温度が所定下限値を下回ったときに、圧縮機を停止させるサーモオフ動作を行う。また、制御部は、サーモオフ動作後の室内空気の温度の上昇を監視するとともに、サーモオフ動作後の室内空気の相対湿度の上昇を検知あるいは推定する。そして、制御部は、温度の上昇の程度および相対湿度の上昇の程度の両方の条件に基づいて、圧縮機を再起動させるサーモオン動作を行う。【選択図】　　　　図５
2004144323.tif 000002
【特許請求の範囲】
【請求項１】
冷房運転と除湿運転との少なくとも一方の運転が可能な空気調和機（１）であって、
内部に流れる冷媒と室内空気との間で熱交換を行わせ、室内空気の熱を奪う室内熱交換器（１１）と、
圧縮機（２１）と、
室内空気の温度が所定下限値を下回ったときに前記圧縮機を停止させるサーモオフ動作を行う制御部（６０）と、
を備え、
前記制御部（６０）は、前記サーモオフ動作後の室内空気の温度の上昇を監視するとともに、前記サーモオフ動作後の室内空気の相対湿度の上昇を検知あるいは推定し、前記温度の上昇の程度および前記相対湿度の上昇の程度の両方の条件に基づいて前記圧縮機を再起動させるサーモオン動作を行う、
空気調和機（１）。
【請求項２】
前記制御部（６０）は、前記サーモオフ動作後の室内空気の相対湿度の上昇を、前記サーモオフ動作後の経過時間を基準として推定する、
請求項１に記載の空気調和機（１）。
【請求項３】
前記制御部は、前記サーモオフ動作後の室内空気の相対湿度の上昇を、湿度センサ（７２）によって検知する、
請求項１に記載の空気調和機。
【請求項４】
前記制御部（６０）は、前記温度の上昇の程度を示す温度上昇値と前記相対湿度の上昇の程度を示す前記サーモオフ動作後の経過時間とを組み合わせた複合条件を複数有しており、それらの複数の複合条件のいずれかを満たす場合に前記サーモオン動作を行う、
請求項２に記載の空気調和機（１）。
【請求項５】
前記複数の複合条件は、それぞれ、前記温度上昇値が異なり且つ前記経過時間が異なっており、前記経過時間が長くなるほど前記温度上昇値が小さくなっている、
請求項４に記載の空気調和機（１）。
【請求項６】
圧縮機によって冷房運転と除湿運転との少なくとも一方の運転が可能な空気調和機の制御方法であって、
室内空気の温度が所定下限値を下回ったときに前記圧縮機を停止させるサーモオフ動作を行う第１ステップと、
前記サーモオフ動作後の室内空気の温度の上昇を監視するとともに、前記サーモオフ動作後の室内空気の相対湿度の上昇を検知あるいは推定し、前記温度の上昇の程度および前記相対湿度の上昇の程度の両方の条件に基づいて前記圧縮機を再起動させるサーモオン動作を行う第２ステップと、
を備える空気調和機の制御方法。
【発明の詳細な説明】
【０００１】
【発明の属する技術分野】
本発明は、空気調和機および空気調和機の制御方法、特に、サーモオフ動作後においてサーモオン動作を行う条件に関する。
【０００２】
【従来の技術】
冷暖房、除湿、清浄化等の空気調和を施した空気を室内に送風することにより室内の快適性を向上させる空気調和機が、住宅やビル等において広く普及している。このような空気調和機のうち冷房運転や除湿運転が可能なものは、室内熱交換器を有していることが多く、室内熱交換器で室内空気の熱を奪うとともに、そのときに室内熱交換器の外表面で発生する結露（室内空気に含まれる水分の結露）を利用して、室内空気を除湿することができる。
【０００３】
このような空気調和機で冷房・除湿運転を行っているときに、室内温度が目標温度などに基づく所定下限値を下回った場合には、それ以上の冷房・除湿作用の必要がなくなる。このため、室内温度が所定下限値を下回った場合には、圧縮機の運転を停止させ且つ室内への送風を行う送風ファンの運転も必要最小限とするサーモオフ動作を行わせることが多い（例えば、特許文献１参照）。そして、サーモオフ動作後に室内の発熱源や室外からの入熱などによって室内温度が上昇すると、その室内温度上昇を監視している制御部が、圧縮機を再起動させて冷房・除湿作用を復帰させる。この圧縮機を再起動させ冷房・除湿作用を復帰させる動作は、サーモオン動作と呼ばれている。
【０００４】
【特許文献１】
特開平６−１１１７３号公報
【０００５】
【発明が解決しようとする課題】
サーモオン動作の条件は、現状においては、室内温度上昇の程度である。例えば、冷房における設定温度を１．５℃を超えて下回った場合にサーモオフ動作を行わせる場合において、サーモオフ動作後に室内温度が１．５℃上昇して冷房設定温度を上回る状態になったときに、サーモオン動作が行われる。これにより、冷房設定温度などの目標温度の近傍に室内温度が保たれることになり、室内に居る人が不快を感じることが抑制される。
【０００６】
しかし、実際には、サーモオフ動作後サーモオン動作が行われるまでの間に、室内に居る人が不快感を示すことがある。
本発明の課題は、サーモオフ動作後サーモオン動作が行われるまでの間において室内に居る人が不快に感じることを抑制できる空気調和機および空気調和機の制御方法を提供することにある。
【０００７】
【課題を解決するための手段】
請求項１に係る空気調和機は、冷房運転と除湿運転との少なくとも一方の運転が可能な空気調和機であって、室内熱交換器と、圧縮機と、制御部とを備えている。室内熱交換器は、内部に流れる冷媒と室内空気との間で熱交換を行わせ、室内空気の熱を奪う。制御部は、室内空気の温度が所定下限値を下回ったときに、圧縮機を停止させるサーモオフ動作を行う。また、制御部は、サーモオフ動作後の室内空気の温度の上昇を監視するとともに、サーモオフ動作後の室内空気の相対湿度の上昇を検知あるいは推定する。そして、制御部は、温度の上昇の程度および相対湿度の上昇の程度の両方の条件に基づいて、圧縮機を再起動させるサーモオン動作を行う。
【０００８】
本願の発明者は、本発明に至る前に、室内温度が所定範囲内に保持されているにもかかわらずサーモオフ動作後サーモオン動作前に室内の人が不快感を示す現象について検討を行い、この現象がサーモオフ動作後に急激に上昇する相対湿度に起因するものであろうことを見いだしている。特に、家庭の室内には布団などの湿気を含んだ物体が多く存在しており、サーモオフ動作後に室内温度がそれほど上昇していなくても室内の相対湿度が急激に上昇して、サーモオン動作前に室内の人が不快を感じる確率が高いことを認識している。
【０００９】
このような検討やその結果の認識に基づき、本願の発明者は、上記のような請求項１に係る発明に到達した。
請求項１に係る空気調和機では、冷媒が室内熱交換器の内部を流れる。室内熱交換器は、その冷媒と室内空気との間で熱交換を行わせる役割を果たす。これにより、室内空気の熱が奪われ、冷房作用が生じる。一方、室内熱交換器は冷媒によって室内空気よりも温度が低い状態となっているため、室内空気に含まれる湿気が室内熱交換器の表面で結露する。この結露により、室内空気の除湿作用が生じる。したがって、サーモオフ動作で圧縮機が停止してしばらくすると、冷房作用に加えて除湿作用も殆どなくなってしまう。
【００１０】
そして、サーモオフ動作後には室内温度および室内相対湿度が上昇することになるが、ここでは室内温度の上昇の程度と室内相対湿度の上昇の程度との両方の条件に基づいてサーモオン動作を行うように制御しているため、室内温度が上がりすぎて室内に居る人が不快を感じることに加え、室内相対湿度が上がりすぎて室内に居る人が不快を感じることも抑制することができる。すなわち、室内相対湿度が上がると室内温度上昇が小さくても体感として暑いと感じることがあるが、そのような室内に居る人の不快感を本空気調和機では少なくすることができる。
【００１１】
このように、請求項１に係る空気調和機では、サーモオン動作の条件として相対湿度の上昇の程度も考慮に入れているため、サーモオフ動作後サーモオン動作が行われるまでの間に室内に居る人が不快に感じることが抑制される。
なお、ここでいう冷媒は冷水も含む概念であり、圧縮機等により生成された冷水を室内熱交換器に供給するタイプの空気調和機に対しても適用することができる。また、ペア型の空気調和機に限らず、マルチ型の空気調和機に対しても本発明の適用が可能である。
【００１２】
請求項２に係る空気調和機は、請求項１に記載の空気調和機であって、制御部は、サーモオフ動作後の室内空気の相対湿度の上昇を、サーモオフ動作後の経過時間を基準として推定する。
室内の相対湿度を測定する手段を有していない場合にも、サーモオン動作の条件として相対湿度の上昇の程度を考慮に入れることができるように、ここでは、サーモオフ動作後の経過時間を基準として、サーモオフ動作後の室内空気の相対湿度の上昇を推定している。本願の発明者による実験により、サーモオフ後の相対湿度上昇と経過時間との間の相関関係は所定の範囲にあり、経過時間から相対湿度の上昇を推定しても問題が少ないことが確認されている。
【００１３】
請求項３に係る空気調和機は、請求項１に記載の空気調和機であって、制御部は、サーモオフ動作後の室内空気の相対湿度の上昇を、湿度センサによって検知する。
ここでは、実際の湿度センサによって室内空気の相対湿度を測定することで、サーモオフ動作後の室内空気の相対湿度の上昇を検知している。
【００１４】
請求項４に係る空気調和機は、請求項２に記載の空気調和機であって、制御部は、温度の上昇の程度を示す温度上昇値と相対湿度の上昇の程度を示すサーモオフ動作後の経過時間とを組み合わせた複合条件を、複数有している。そして、制御部は、それら複数の複合条件のいずれかを満たす場合に、サーモオン動作を行う。
【００１５】
ここでは、室内温度の上昇と室内相対湿度の上昇との両面において、それぞれ室内の人が不快と感じることがないように、サーモオン動作に関する複数の条件を用意している。そして、人の不快感が、室内温度および室内相対湿度の一方にだけ依存するものではないことから、サーモオン動作に関する各条件を、複合条件としている。
【００１６】
請求項５に係る空気調和機は、請求項４に記載の空気調和機であって、複数の複合条件は、それぞれ、温度上昇値が異なり且つ経過時間が異なっており、経過時間が長くなるほど温度上昇値が小さくなっている。
本願の発明者は、実験から、サーモオフ動作後の経過時間が短ければ相対湿度の上昇が少なく、経過時間が短ければ相対湿度の上昇が多いと推定できることを見いだしている。
【００１７】
これに鑑み、経過時間が短ければ相対湿度の上昇が少ないと推定されるため、温度上昇が大きくなければサーモオン動作を行わないようにしている。一方、経過時間が長ければ相対湿度の上昇が大きいと推定されるため、少しでも温度上昇があればサーモオン動作を行うようにしている。
これにより、サーモオフ動作後サーモオン動作が行われるまでの間に、室内に居る人が、温度上昇によって不快を感じることも、相対湿度上昇によって不快を感じることも、温度および相対湿度の上昇の両条件が相まって不快を感じることも抑制することができる。
【００１８】
請求項６に係る空気調和機の制御方法は、圧縮機によって冷房運転と除湿運転との少なくとも一方の運転が可能な空気調和機の制御方法であって、第１ステップと、第２ステップとを備えている第１ステップでは、室内空気の温度が所定下限値を下回ったときに、圧縮機を停止させるサーモオフ動作を行う。第２ステップでは、サーモオフ動作後の室内空気の温度の上昇を監視するとともに、サーモオフ動作後の室内空気の相対湿度の上昇を検知あるいは推定し、温度の上昇の程度および相対湿度の上昇の程度の両方の条件に基づいて圧縮機を再起動させるサーモオン動作を行う。
【００１９】
請求項６に係る空気調和機の制御方法では、サーモオン動作の条件として、室内空気の温度の上昇の程度に加え、相対湿度の上昇の程度も考慮に入れているため、サーモオフ動作後サーモオン動作が行われるまでの間に室内に居る人が特に相対湿度の上昇によって不快に感じることが抑制される。
【００２０】
【発明の実施の形態】
＜空気調和機の構成＞
図１に、本発明の一実施形態に係る空気調和機１の外観図を示す。空気調和機１は、冷暖房や除湿などを施した調和空気を室内に送風し、室内を快適な環境に保つための装置である。この空気調和機１は、室内の壁面上部に取り付けられる室内機２と、室外に設置される室外機３と備えている。
【００２１】
室内機２内には室内熱交換器１１（図２および図３参照）が収納され、室外機３内には室外熱交換器２４（図２参照）が収納されている。これらの熱交換器１１，２４や室外機３内の圧縮機２１などが、室内機２および室外機３を結ぶ連絡集合配管群６内の冷媒配管によって接続され、図２に示す冷媒回路が構成されている。
【００２２】
［冷媒回路］
冷媒回路は、詳細には、図２に示すように、室内機２の室内熱交換器１１と、室外機３の圧縮機２１、四路切換弁２２、アキュムレータ２３、室外熱交換器２４、および電動弁２５とが冷媒配管を介して接続されることによって形成されている。
【００２３】
室内熱交換器１１は、図２および図３に示すように、長さ方向両端で複数回折り返されている伝熱管１１ａと、伝熱管１１ａが挿し通される複数のフィン１１ｂとから構成される。この室内熱交換器１１は、冷房運転時には、伝熱管１１ａ内を流れる冷媒によって冷やされ、接触する室内空気との間で熱交換を行う。室内熱交換器１１の複数のフィン１１ｂの間に室内空気を流すために、室内機２には、室内空気を室内機２のケーシング１４内に吸い込み室内熱交換器１１を通した後に室内へと空気を戻すクロスフローファン１２が設けられている。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられる室内ファンモータ１３（図２参照）によって回転駆動される。
【００２４】
圧縮機２１は、冷媒蒸気を圧縮して高温高圧の状態にする機器であり、インバータ制御が為される。四路切替弁２２は、圧縮機２１の吐出側に接続される。アキュムレータ２３は、圧縮機２１の吸入側に接続される。室外熱交換器２４は、四路切換弁２２に接続される。電動弁２５は、室外熱交換器２４に接続された電動膨張弁である。また、電動弁２５は、フィルタ２６および液閉鎖弁２７を介して連絡冷媒液配管３１に接続されており、連絡冷媒液配管３１を介して室内熱交換器１１の一端と接続される。さらに、四路切換弁２２は、ガス閉鎖弁２８を介して連絡冷媒ガス配管３２に接続されており、この連絡冷媒ガス配管３２を介して室内熱交換器１１の他端と接続されている。これらの配管３１，３２は、図１に示す連絡集合配管群６に含まれるものである。
【００２５】
また、室外機３には、室外熱交換器２４に室外空気を通すためのプロペラファン３０が設けられている。このプロペラファン３０は、図２に示すように、室外ファンモータ２９によって回転駆動される。
［室内機の詳細］
室内機２の断面図を、図３に示す。前述した室内熱交換器１１とクロスフローファン１２とは、室内機２のケーシング１４内に収容されている。室内熱交換器１１は、クロスフローファン１２の前方、上方および後部上方を取り囲むように取り付けられている。クロスフローファン１２の駆動によって吸い込み口１４２から吸い込まれた室内空気は、室内熱交換器１１を通過してクロスフローファン１２へと流れ、伝熱管１１ａの内部を流れる冷媒との間でフィン１１ｂなどを介して熱交換する。
【００２６】
また、室内熱交換器１１は、大きく前後に２分割されているが、その前後両部分の下方には、室内熱交換器１１の表面に結露により発生する水滴を受けるためのドレンパン１４１が設けられている。これらのドレンパン１４１は、図１に示す連絡集合配管群６に含まれるドレンホース（図示せず）につながっており、ドレンパン１４１で受けたドレン水はドレンホースによって室外へと排出される。
【００２７】
ケーシング１４の上部には、複数のスリット状の開口からなる吸い込み口１４２が設けられている。また、ケーシング１４の下部には、室内機２の長手方向に長く形成された吹き出し口１４３が設けられている。
［制御部］
空気調和機１には、さらに、制御部６０が設けられている。制御部６０は、室内機２および室外機３にそれぞれ設けられる電装品箱の中に配置されており、連絡集合配管群６に含まれる通信線（図示せず）により結ばれている。この制御部６０は、図４に示すように、圧縮機２１、四路切換弁２２、電動弁２５、室外ファンモータ２９、室外ファンモータ１３等と接続され、これらの制御を行う。また、制御部６０には、吸い込む室内空気の温度を測定する吸込温度センサ７１や室内空気の相対湿度を測定する吸込湿度センサ７２などの各種サーミスタが接続されており、これらのサーミスタからデータを入力する。また、制御部６０は、有線または無線で結ばれるリモコン６１からの運転モードや設定温度などの指令を受信する。
【００２８】
＜空気調和機の冷房運転時の動作＞
次に、冷房運転時における空気調和機１の動作について説明する。
冷房運転においては、図２に示す冷媒回路内を冷媒が実線で示す矢印の方向に流れる。圧縮機２１で圧縮され高温高圧の状態となった冷媒は、凝縮器として働く室外熱交換器２４によって放熱・凝縮させられる。室内熱交換器２４で液化した冷媒は、電動弁２５によって減圧され、蒸発器として働く室内熱交換器１１に入る。そして、冷媒は、室内熱交換器１１内で吸熱・蒸発し、飽和蒸気となって圧縮機２１に吸引される。一方、室内機２においては、クロスフローファン１２の回転によってケーシング１４上部の吸い込み口１４２から室内空気がケーシング１４内に吸い込まれ、その室内空気は、ケーシング１４下部に形成されている吹き出し口１４３から室内へと吹き出されるまでの間に室内熱交換器１１を通過する。そして、室内熱交換器１１を通過するときに、室内空気から熱が奪われるとともに、室内空気から湿気が奪われる。室内熱交換器１１に付着した水滴は、ドレンパン１４１を介してドレンホースへと流れ、室外に排出される。
【００２９】
＜空気調和機の冷房運転時のサーモオフおよびサーモオンの制御＞
制御部６０は、冷房運転において、室内ファンモータ１３の出力や電動弁２５の開度、圧縮機２１のインバータ出力の制御を、リモコン６１から入力される冷房設定温度に基づいて、室内温度が所定の範囲に保持されるように行っている。例えば、室内温度が冷房設定温度に近づいてくると、圧縮機２１のインバータ出力が小さくなる。
【００３０】
このように、制御部６０は、吸込温度センサ７１により室内温度を監視し、室内温度が所定範囲に入るように制御を行っているが、室内負荷が小さくなるなどして室内温度が所定下限値を下回ると、圧縮機２１を停止するサーモオフ動作を行うことになる。具体的には、図５に示すように、室内温度が「冷房設定温度−１．５℃」よりも小さくなったときに、制御部６０がサーモオフ動作を行う。サーモオフ動作では、圧縮機２１が停止するとともに、室内ファンモータ１３の出力が最低レベルに落とされる。
【００３１】
次に、サーモオフ動作後におけるサーモオン動作について説明する。サーモオン動作では、圧縮機２１を再起動させて冷房作用や除湿作用を復帰させるとともに、室内ファンモータ１３の出力制御も通常の制御に戻す。
サーモオフ動作により圧縮機２１が停止すると、冷房作用や除湿作用がなくなっていくため、図５に示すように、だんだんと室内温度および室内相対湿度が上昇していく。したがって、圧縮機２１保護のため再起動するまでに必要な時間（１２０秒）を確保した上で、室内に居る人が不快に感じる前にサーモオン動作を行う必要がある。ここでは、図５のグラフにおいて太い線Ｌ１で示すサーモオン境界線を室内温度が上回ったときに、制御部６０がサーモオン動作を行う。
【００３２】
具体的には、サーモオフ動作から１３０秒経過後１８０秒経過前において室内温度が冷房設定温度を上回るか、サーモオフ動作から１８０秒経過後２４０秒経過前において室内温度が「冷房設定温度−０．５℃」を上回るか、あるいはサーモオフ動作から２４０秒経過後において室内温度が「冷房設定温度−１．０℃」を上回るかした場合に、制御部６０がサーモオン動作を行う。図５に示す例では、サーモオフ動作から約２４０秒が経過したときに室内温度が「冷房設定温度−１．０℃」を上回っているので、この約２４０秒経過時にサーモオン動作が行われることになる。この時点で、室内温度は冷房設定温度よりも１．０℃も低い状態であるが、これ以上長くサーモオフの状態を継続して除湿作用を復帰させない場合には、特に室内の相対湿度の高さによって室内に居る人が不快感を覚えることになるため、このようなタイミングでサーモオン動作を行っている。
【００３３】
以上のサーモオン動作を、図６に従って繰り返し説明する。
まず、ステップＳ１で、制御部６０は、吸込温度センサ７１によって、室内温度を監視する。
ステップＳ２では、サーモオフ動作後に１３０秒以上が経過していて且つサーモオフ動作時に較べて１．５℃以上の室温上昇があったか否かを判断する。この複合条件を満足する場合には、ステップＳ５に移行し、満足しない場合には、ステップＳ３に移行する。
【００３４】
ステップＳ３では、サーモオフ動作後に１８０秒以上が経過していて且つサーモオフ動作時に較べて１．０℃以上の室温上昇があったか否かを判断する。この複合条件を満足する場合には、ステップＳ５に移行し、満足しない場合には、ステップＳ４に移行する。
ステップＳ４では、サーモオフ動作後に２４０秒以上が経過していて且つサーモオフ動作時に較べて０．５℃以上の室温上昇があったか否かを判断する。この複合条件を満足する場合には、ステップＳ５に移行し、満足しない場合には、ステップＳ１に戻る。
【００３５】
ステップＳ５は、ステップＳ２，Ｓ３，Ｓ４にある複合条件のうちいずれかが満たされた場合に行われるサーモオン動作の処理であり、ここで圧縮機２１を再起動させる。いずれの場合にも圧縮機２１を停止させるサーモオフ動作を行ってから１２０秒以上が経過しているため、圧縮機２１の保護が確保される。
＜空気調和機の特徴＞
（１）
ここでは、サーモオン動作のタイミングとして、急激に室内環境（室内温度および室内相対湿度）が悪化する場合を想定し、早い場合にはサーモオフ動作後１３０秒を設定している。圧縮機２１の保護のための時間を確保しつつ、室内環境が悪化した場合にはできるだけ早く冷房作用や除湿作用が復帰するような制御となっている。このため、サーモオフ後に室内に居る人が不快と感じることが非常に少なくなっている。
【００３６】
（２）
従来のサーモオン動作のタイミングは、室内温度の上昇という観点からだけで決められている。これに対し、ここでは、室内相対湿度の上昇による室内環境の悪化を考慮し、室内相対湿度の上昇に相関するサーモオフ後の経過時間を考慮に入れ、室内温度と経過時間との複合条件を複数用意してサーモオン動作のタイミングを決めている。このため、室内温度だけで考えるとサーモオン動作を行って冷房作用および除湿作用を復帰させる必要がない状態であっても、相対湿度が上昇して室内に居る人が不快になる状態であれば、サーモオン動作が行われるようになっている。これによっても、サーモオフ後に室内に居る人が不快と感じることが非常に少なくなっている。
【００３７】
特に、ここでは、サーモオフ動作後の経過時間が短ければ相対湿度の上昇が少なく、経過時間が短ければ相対湿度の上昇が多いと推定できることから、経過時間が短いときは温度上昇が大きくなければサーモオン動作を行わないようにし、経過時間が長いときは少しでも温度上昇があればサーモオン動作を行うようにしている。
【００３８】
（３）
ここでは、サーモオフ動作後に２４０秒以上が経過していて且つサーモオフ動作時に較べて０．５℃以上の室温上昇があったときにサーモオン動作を行わせるが（図６のステップＳ４参照）、それまでの間は室温上昇の条件として１．５℃や１．０℃を設定している（図６のステップＳ２，Ｓ３を参照）。このため、省エネルギー性が確保されるとともに、圧縮機のオン・オフのハンチングが発生することも抑えられる。
【００３９】
＜他の実施の形態＞
（Ａ）
上記の実施形態では、冷房運転時のサーモオフ動作およびサーモオン動作について説明を行ったが、室外機の排熱などを利用した再熱除湿運転における目標温度（例えば、再熱除湿開始時の室内温度を基準とした一定の温度範囲）から室内温度が逸脱した際のサーモオフ動作およびその後のサーモオン動作についても、本発明を適用することが可能である。
【００４０】
（Ｂ）
上記の実施形態では、サーモオフ動作後の経過時間から室内相対湿度の上昇の程度を推定する手法を採り、経過時間を加味したサーモオン動作の複合条件を決めているが、吸込湿度センサ７２から入手した室内の実際の相対湿度に基づいて制御部６０がサーモオン動作に移るタイミングを決めるようにすることも可能である。この場合には、例えば、室内温度と室内相対湿度とから決められる不快指数を基準にしてサーモオン動作の実施タイミングを決めるようにすることもできる。
【００４１】
【発明の効果】
請求項１に係る空気調和機では、サーモオン動作の条件として相対湿度の上昇の程度も考慮に入れているため、サーモオフ動作後サーモオン動作が行われるまでの間に室内に居る人が不快に感じることが抑制される。
請求項２に係る空気調和機では、室内の相対湿度を測定する手段を有していない場合にも、サーモオン動作の条件として相対湿度の上昇の程度を考慮に入れることができる。
【００４２】
請求項３に係る空気調和機では、実際の湿度センサによって室内空気の相対湿度を測定することで、サーモオフ動作後の室内空気の相対湿度の上昇を検知しており、室内に居る人が不快に感じることをより確実に抑制することが可能となる。
請求項４に係る空気調和機では、室内温度の上昇と室内相対湿度の上昇との両面において、それぞれ室内の人が不快と感じることが少なくなる。
【００４３】
請求項５に係る空気調和機では、サーモオフ動作後サーモオン動作が行われるまでの間に、室内に居る人が、温度上昇によって不快を感じることも、相対湿度上昇によって不快を感じることも、温度および相対湿度の上昇の両条件が相まって不快を感じることも抑制することができる。
請求項６に係る空気調和機の制御方法によれば、サーモオン動作の条件として、室内空気の温度の上昇の程度に加え、相対湿度の上昇の程度も考慮に入れているため、サーモオフ動作後サーモオン動作が行われるまでの間に室内に居る人が特に相対湿度の上昇によって不快に感じることが抑制される。
【図面の簡単な説明】
【図１】本発明の一実施形態に係る空気調和機の外観図。
【図２】冷媒回路の概略図。
【図３】室内機のＩＩＩ−ＩＩＩ断面図。
【図４】制御ブロック図。
【図５】サーモオフ動作／サーモオン動作の条件を示す室内温度および室内相対湿度の時系列グラフの一例。
【図６】冷房運転時のサーモオン動作の実行処理に関する制御フロー図。
【符号の説明】
１　　空気調和機
１１　　室内熱交換器
２１　　圧縮機
６０　　制御部
７１　　吸込温度センサ
７２　　吸込湿度センサ
【図１】
2004144323.tif 000003
【図２】
2004144323.tif 000004
【図３】
2004144323.tif 000005
【図４】
2004144323.tif 000006
【図５】
2004144323.tif 000007
【図６】
2004144323.tif 000008